【事件の表示】
　商願２００５−１１９８７４拒絶査定不服審判事件について、次のとおり審決する。
【結　論】
　本件審判の請求は、成り立たない。
【理　由】
１　本願商標
　本願商標は、「アンチエイジングコスメ」の文字を標準文字で書してなり、第３類「家庭用帯電防止剤，家庭用脱脂剤，さび除去剤，染み抜きベンジン，洗濯用柔軟剤，洗濯用漂白剤，かつら装着用接着剤，つけまつ毛用接着剤，洗濯用でん粉のり，洗濯用ふのり，塗料用剥離剤，靴クリーム，靴墨，つや出し剤，せっけん類，歯磨き，化粧品，香料類，研磨紙，研磨布，研磨用砂，人造軽石，つや出し紙，つや出し布，つけづめ，つけまつ毛」を指定商品として、平成１７年１２月２１日に登録出願されたものである。
　
２　原査定の拒絶の理由の要点
　原査定は、「本願商標は、『老化防止用の化粧品』の意味合いを認識させる外来語『アンチエイジングコスメ』の文字を標準文字で書してなるところ、刊行物等提出書によると、本願指定商品を取り扱う分野においては、該文字が、前記の意味合いで普通に使用されている事実が認められるから、これをその指定商品中の前記文字に照応する商品に使用するときは、単に商品の品質及び用途を表示するにすぎない。したがって、本願商標は、商標法第３条第１項第３号に該当し、前記商品以外の商品に使用するときは、商品の品質の誤認を生じさせるおそれがあるので、商標法第４条第１項第１６号に該当する。』旨認定、判断をして、本願を拒絶したものである。
　
３　当審の判断
　本願商標は、前記のとおりの構成よりなるところ、その構成中前半部の「アンチエイジング」の文字は、「加齢に伴う症状の予防と治癒。老化防止。抗加齢。」（株式会社小学館発行「大辞泉」参照）、「抗老化。老化を防止すること。多くの場合、若返りを目的にした医療・美容・整形などに対していわれる。」（株式会社三省堂発行「コンサイスカタカナ語辞典第３版」参照）の意味を有する語、構成中後半部の「コスメ」の文字は、「化粧品」全般を指す言葉である「コスメティック」の略（株式会社自由国民社発行「現代用語の基礎知識２００７」参照）であって、いずれの語も一般に親しまれた語であることよりすれば、これよりは全体として原審説示の如く「老化防止用の化粧品」程の意味合いを容易に認識するものというのが相当である。
　そして、近年、女性のみならず男性においても「若くありたい」という願望が強く、本願指定商品を取り扱う業界でも、そのニーズに応えた老化防止用の化粧品の開発販売が行われている実情がある。
　そうとすれば、これを指定商品中、老化防止用の化粧品に使用しても、単に商品の品質、用途等を表示するにすぎないものと認める。
　「アンチエイジングコスメ」の文字より「老化防止用の化粧品」程の意を容易に想起すること及び上記実情は、以下の新聞記事、インターネットのホームページ情報及び平成１８年５月２６日付け刊行物等提出書からも裏付けられるところである。
（１）新聞記事情報
（ア）「【乙女心データバンク】若い世代こそお肌の老化対策　美容整形並みのケア化粧品
　■“抗酸化”サプリメントも注目
　もう秋。夏の疲れが、肌に表れてくる時期です。季節の変わり目になると、肌が不安定になり、荒れやすくなる人も少なくないでしょう。
　秋冬のシーズンに突入すると美容雑誌などでよく目にするのが「保湿」や「アンチエイジング（老化防止）」といった文字。肌老化の原因となる乾燥が気になり始めるのは、この時期から。女性は保湿＆アンチエイジング対策に必死です。
　ここ数年で「アンチエイジング」効果をうたった化粧品は年々増加し、競争は激化。肌の老化の悩みに対応した化粧品だけでなく、サプリメント（栄養補助食品）なども注目を浴びています。
　昨今のアンチエイジング化粧品の普及と同時に増えたのが“抗酸化”を目的としたサプリメント。
　コエンザイムＱ１０やα（アルファ）リポ酸などのブームにより、あっという間に「抗酸化」や「抗老化」といった言葉がメジャーに。女性にとってはもちろん、最近では男性も、体の内側から老化対策をするようになってきています。それほど現代人は、「若くありたい」という願望が強いのです。
　とは言っても、シワやたるみを美容整形で直してしまう、極端な方法をとる人はまだごく一部。しかし、興味を持つ人は日本でも年々着実に増えています。
　今までの
アンチエイジングコスメ
　しかし、今では、美容整形並みの効果をアピールした商品や、まだ老化症状のない若い世代に向けた初期老化対策の化粧品などバラエティー豊か。若い世代でも“アーリーアンチエイジング”として、肌の初期老化対策を始めている人が沢山います。ここ数年の間に、老化対策コスメのターゲットやニーズの細分化が進んでいるのです。
　実際に、肌の老化を感じた平均年齢は二十七・三歳。ビエナユーザーのほとんどは肌老化を実感しているのです。
　「若いころにちゃんとケアしておけばよかった…」なんて後悔をしないために、これから先、若い時期から的確なケアを始める賢い女性が今よりもっと増えそうです。」
（2005.09.19　FujiSankei Business i.　4頁）
（イ）「【ニュースリリース　プレゼント】サンソリットから
アンチエイジングコスメ
　
アンチエイジングコスメ
　化粧品の基本素材である水から、すべての配合成分までをナノ（超微粒子）化することに成功。有効成分が角質層を通り抜けて肌の内部まで浸み渡り、肌の内側から健康でいきいきとした素肌を作り上げる。「サンソリット　ナノエースＱ　エッセンス」（６３００円）と「同　クリーム」（７３５０円）をセットでプレゼント。販売中。」（2005.08.04　FujiSankei Business i.　19頁）
（ウ）「月刊中国総合雑誌「ＣＨＡＩ」８月号きょう発売　伝統的な若返り＆化粧術紹介
　月刊中国総合雑誌「ＣＨＡＩ（チャイ）」八月号が二十五日、発売される。
　巻頭特集は「神秘の中国アンチエイジング」。「食」から「医」まで、細胞レベルで綺麗（きれい）になる、中国に伝わる伝統的な若返り美容法や化粧術を紹介します。楊貴妃も愛用した、いにしえの中国宮廷美容を再現したコーナーはとくに若い女性必見でしょう。
　中国最先端の
アンチエイジングコスメ
　チャイ・アーティストシリーズは、中国琵琶の第一人者で人間国宝の王範地教授です。中国琵琶の音色の本当の美しさを世界に伝えてきた王教授の半生を紹介します。
　「ＣＨＡＩ」は中文産業（東京都品川区）の羅怡文（らいぶん）社長が二〇〇二年に創刊、中国の今をコンセプトにトレンド、文化、グルメの最新情報を紹介している。六百五十円（税込み）。・・・」（2005.06.25　FujiSankei Business i.　11頁）
（エ）「【ランキング・ベスト５】男性用
アンチエイジングコスメ
　（１）アラミス　　エイジレスキュー　　　　　　６３００円
　（２）クラランス　モイスチャージェル　　　　　５２００円
　（３）クリニーク　エム　ローション　　　　　　２９４０円
　（４）クラランス　トータルリンクルファイター　６８２５円
　（５）ビオテルム　スキンフィットネスオム　　　５７７５円
　　　　　　　　　　　　　　　　【伊勢丹新宿店メンズ館　１Ｆ】
　【今週の第１位】
　≪メンズ一筋、信頼感≫
　女性たちがこれだけ美白やシワとりのことを気にかけているのに対し、世の男性諸氏はあまりに美容に無頓着ではないだろうか？　「顔は男の履歴書である」なんて言うけれど、立派に一生懸命生きてたって、目元や口元は乾燥して粉が吹くし、小鼻の周りは脂で黒ずむ。紫外線や加齢が加われば、どうしたって顔色はくすむのである。
　この際、男の生きざまのことは置いといて、肌のケアをお薦めしたい。「アラミス　エイジレスキュー」は長年不動の一位。メンズ一筋でやってきたブランドの信頼感が人気の理由だとか。父と息子でファンのユーザーも。香りも控えめでべた付かず、使いやすい。夜用、昼用、目元専用とシリーズでそろう。せっかくの履歴書、うっすら積もったホコリを払ってみるのも必要かも。・・・」（2005.03.05　産経新聞東京朝刊　26頁）
（２）インターネットのホームページ情報
（オ）「
アンチエイジングコスメ
「やみくもに老化防止？自然治癒力に頼って老化防止？
　あなたのアンチエイジングは経済的かつ効果的ですか？
　『塗る』のではなく『出す』アンチエイジングを！
　しみ、しわをなくす美容液、毛が生える育毛剤。一般に
アンチエイジングコスメ
　当店の考えるアンチエイジング（＝老化防止）は従来のような「つけて」「塗って」「押し込んで」ではなく、逆に「出す」です。デトックス（＝解毒）アンチエイジングです。」との記載あり。（http://www.lucavenus.jp/leafcafe/detail/anti.html）
（カ）「Perle Champagne−ペルル　シャンパーニュ｜自律活性をテーマとした
アンチエイジングコスメ
「炭酸ガスをテーマとした
アンチエイジングコスメ
　Ｐｅｒｌｅ　Ｃｈａｍｐａｇｎｅ｛ペルル　シャンパーニュ｝・・・
　ブランドコンセプト◆自肌能力の活性からアンチエイジングへ◆
　はじめて触れた瞬間から、使い心地の良さ、効能効果まで細かく追求しました。スペシャルケア アイテムとして、エステティック感覚を味わえる化粧品です。有効成分を肌に届ける独自の仕組みで、肌の自律活性、肌の老化防止を目指し、年齢を問わずいつでもスタートできるアンチエイジング習慣を提案します。肌実感とともに精神面からも美しい希望が生まれてきます。」との記載あり。（http://www.miu-cosmetics.com/perle_champagne/）
（キ）「アンチエイジングならスキンウィズイン　Skin Within」との標題のもと、
「日本初上陸！！
　抗加齢医学の専門医が開発した
アンチエイジングコスメ
（ク）「
アンチエイジングコスメ
「乾燥肌対策、敏感肌対策！透明感ある素肌美人を目指すあなたへ
アンチエイジングコスメ
乾燥肌、敏感肌、美白への対策！透明感ある素肌美を作る為の化粧品「ピュアビューレ」
アンチエイジングコスメ
（３）原審において提出された平成１８年５月２６日付け刊行物等提出書
（ケ）同提出書３ページにおいて、
「ビューティージャーナリスト倉田真由美の美ネタ帖
　今週の美ネタ　アベンヌの敏感肌用
アンチエイジングコスメ
アンチエイジングコスメ
アンチエイジングコスメ
（http://www.elle.co.jp/home/beauty/journal/journal.php?journal=3_1111）
（コ）同提出書４ページにおいて、
「
アンチエイジングコスメ
　３０代おすすめ化粧品、エクササイズなどアンチエイジング情報を幅広くお届け
・・・
アンチエイジングコスメ
（サ）同提出書７ページにおいて、
「商品名　　　　　クリーム
　メーカー名　　　アルビオン
　ブランド名　　　エクス・ヴィ
　アイテム　　　　乳液・クリーム・オイル
・・・肌細胞中の「機能停止細胞」を再活性させることにより、肌そのものを改善させる
アンチエイジングコスメ
　そうとすれば、本願商標は、これをその指定商品中、「老化防止用の化粧品」に使用しても、単に商品の品質、用途等を表示するにすぎないものであって、かつ、前記商品以外の「化粧品」に使用するときは、商品の品質の誤認を生じさせるおそれがあるものといわざるを得ない。
　したがって、本願商標が商標法第３条第１項第３号及び同法第４条第１項第１６号に該当するとの原査定は妥当なものであって、これを取り消すことはできない。
　よって、結論のとおり審決する。